(57)【要約】【課題】  長径方向と短径方向とを有するトラック形のコイルならびにボビンを含むボイスコイルを備える動電型スピーカーに関し、再生音圧周波数特性のピーク・ディップを抑制することができ、能率が高くて再生音圧レベルも十分高く、再生音声品質に優れる動電型スピーカーを提供する。【解決手段】  ダストキャップは、長径方向と短径方向とを有するトラック形のボビン、ならびに、ボビンに巻回されるコイルを含むボイスコイルに係合するダストキャップであって、ダストキャップが、トラック形の円弧部であってボビンの一方の端部に係合する２つの係合平面部と、係合平面部の間において凹状に延設されてボビンが規定する内部空間に嵌入されて、トラック形の長径方向に沿った一組の長辺により規定されるボビンの２つの内壁平面を連結して補強する嵌入部と、を備える。【選択図】  図２
2009267875.tif 000002
【特許請求の範囲】
【請求項１】
長径方向と短径方向とを有するトラック形のボビン、ならびに、該ボビンに巻回されるコイルを含むボイスコイルに係合するダストキャップであって、
該ダストキャップが、該トラック形の円弧部であって該ボビンの一方の端部に係合する２つの係合平面部と、該係合平面部の間において凹状に延設されて該ボビンが規定する内部空間に嵌入されて、該トラック形の該長径方向に沿った一組の長辺により規定される該ボビンの２つの内壁平面を連結して補強する嵌入部と、を備える、
ダストキャップ。
【請求項２】
前記ダストキャップの前記嵌入部が、前記長径方向の断面において略Ｖ字状に連結する２つの補強平面から構成される、
請求項１に記載のダストキャップ。
【請求項３】
前記ダストキャップの前記嵌入部を構成する前記補強平面が、前記トラック形の前記長径方向に沿った一組の長辺のほぼ全ての範囲に渡って、前記ボビンの前記２つの内壁平面と連結している、
請求項２に記載のダストキャップ。
【請求項４】
請求項１から３のいずれかに記載の前記ダストキャップと、該ダストキャップが係合する前記ボイスコイルと、該ボイスコイルの前記ボビンに連結される該長径方向および該短径方向とを有する細長形のスピーカー振動板と、該ボイスコイルの前記コイルが配置される磁気空隙を有する磁気回路と、を備える動電型スピーカー。
【請求項５】
前記スピーカー振動板を前面視した場合に、該スピーカー振動板に固着されて、前記ダストキャップおよび前記ボイスコイルを覆う第２ダストキャップをさらに備える、請求項４に記載の動電型スピーカー。
【発明の詳細な説明】
【技術分野】
【０００１】
本発明は、長径方向に比べて短径方向が短い細長形の動電型スピーカーであって、音声再生能力に優れ、ディスプレイ等の機器に取り付けるのに適する動電型スピーカーに関する。
【背景技術】
【０００２】
音声を再生するスピーカーを取り付けるディスプレイ等の音響機器においては、スピーカーを取り付けるのに要する空間を小型化することが要望されている。特に、細長形（矩形、長円形（楕円形、トラック形を含む））の動電型スピーカーは、短径方向に振動板面積が限られる、細長形のスピーカー振動板に特有な分割振動の影響が大きくて平坦な再生音圧周波数特性を得ることが難しい、磁気空隙の磁束密度が高いスピーカー用磁気回路を採用しようとすると、磁気回路の幅がスピーカー振動板よりも広くなり小型化できない、といった様々な理由から音声再生能力において不利な点がある。したがって、従来には、これらの問題を解決するために様々なスピーカー振動板、ボイスコイル、スピーカー用磁気回路、および、これを用いた動電型スピーカーが提案されている。
【０００３】
例えば、従来には、スピーカー形状の縦、横の寸法が長手側と短手側とからなるトラック型スピーカーにおいて、磁気回路を構成するマグネット（３）をほぼスピーカー外形に収まる範囲内で大きな形状とし、かつ前記磁気回路を構成するポール（１）及びボイスコイルＶＣの形状は前記長手側の方向に沿って延びる細長い形状としてボイスコイルＶＣと前記長手側との間のダンパーの幅寸法を確保するとともに、ポール（１）の断面積Ｓは、ポール形状を円とした場合、前記短手側の寸法ａに対しほぼ１／３以上の直径を有する円と円等の断面積としたトラック型スピーカーがある（特許文献１）。
【０００４】
また、例えば、長手方向の異常振動を抑制して、大入力に対して異常のない音波放射の実現化を図って、振動方向から見た振動面の平面形状が長手と短手を有し、振動面は長手方向に凹凸状に連続した湾曲部を形成しており、かつ、湾曲部と連設し長手方向の略中央部に、振動面の長手方向と直交する如く溝部を一体的に設けた非軸対称形の振動板と、振動板の外周部に沿って帯状に形成され、この帯状の内周部が振動板の外周部に接続され、振動板を振動自在に保持するエッジと、巻線を施すフォーム部分が振動板の長手方向に２分割されており、分割部分が接合されて梁を形成し、この梁が振動板の溝部の底部の裏面に当接されるボイスコイルボビンと、ボイスコイルボビンの外周面に巻回されるボイスコイルと、ボイスコイルに振動用の磁束を与える磁気回路と、エッジの外周部、磁気回路を保持するフレームとより構成したことを特徴とする電気音響変換器がある（特許文献２）。
【０００５】
一方、従来には、テレビなどの映像音響機器に使用される細長（矩形）状のスピーカーに関するものであり、分割共振を抑制し、平坦な周波数特性を有する音質の優れたスピーカーを提供することを目的として、少なくとも矩形状の振動板と、この振動板に対応して並置された複数の磁気回路と、この磁気回路の磁気ギャップに夫々挿入されるとともに上記振動板の内周と結合される複数の支持部と夫々結合されるボイスコイルとで構成されるスピーカーがある（特許文献３）。
【０００６】
【特許文献１】特開２０００−１９７１９０号公報  （図１）
【特許文献２】特開２００２−１７６６９１号公報  （第１図〜第３図）
【特許文献３】特開平９−２６１７９５号公報  （図１〜図２）
【０００７】
しかしながら、従来技術のスピーカーでは、いずれも充分ではない。特許文献１に記載のトラック形のボビンを有するボイスコイルのスピーカーでは、ボイスコイルの強度が不足して、共振して異音を発生する、等の問題が発生しやすい。また、特許文献２に記載のスピーカーは、ボイスコイルのボビンの外径と振動板外径とがほぼ同寸法のトラック形の形状を有する特殊なスピーカーの場合であり、ボイスコイルが長手方向に２分割されており、分割部分が接合されて梁を形成するといった特殊なボイスコイルにしなければならず、振動板の中央にボイスコイルのボビンを固着する細長形のスピーカーに適するとは限らない。また、特許文献３に記載の支持部を備える細長形のスピーカーは、分割共振の抑制に有効であるものの、複雑な形状でスピーカー振動系の重量が重くなり、その結果、能率並びに再生音圧レベルが低く、耐入力に乏しいスピーカーになる、という問題がある。
【発明の開示】
【発明が解決しようとする課題】
【０００８】
本発明は、上記の従来技術が有する問題を解決するためになされたものであり、その目的は、長径方向と短径方向とを有するトラック形のボビンならびにトラック形のコイルを含むボイスコイルと、ボイスコイルに係合するダストキャップと、ボビンがその中央に固着する細長形のスピーカー振動板と、を備える動電型スピーカーに関し、再生音圧周波数特性のピーク・ディップを抑制することができ、能率が高くて再生音圧レベルも十分高く、再生音声品質に優れる動電型スピーカーを提供することにある。
【課題を解決するための手段】
【０００９】
本発明のダストキャップは、長径方向と短径方向とを有するトラック形のボビン、ならびに、ボビンに巻回されるコイルを含むボイスコイルに係合するダストキャップであって、ダストキャップが、トラック形の円弧部であってボビンの一方の端部に係合する２つの係合平面部と、係合平面部の間において凹状に延設されてボビンが規定する内部空間に嵌入されて、トラック形の長径方向に沿った一組の長辺により規定されるボビンの２つの内壁平面を連結して補強する嵌入部と、を備える。
【００１０】
好ましくは、本発明のダストキャップは、ダストキャップの嵌入部が、長径方向の断面において略Ｖ字状に連結する２つの補強平面から構成される。
【００１１】
好ましくは、本発明のダストキャップは、ダストキャップの嵌入部を構成する補強平面が、トラック形の長径方向に沿った一組の長辺のほぼ全ての範囲に渡って、ボビンの２つの内壁平面と連結している。
【００１２】
また、本発明の動電型スピーカーは、上記のダストキャップと、ダストキャップが係合するボイスコイルと、ボイスコイルのボビンに連結される長径方向および短径方向とを有する細長形のスピーカー振動板と、ボイスコイルのコイルが配置される磁気空隙を有する磁気回路と、を備える。
【００１３】
また、好ましくは、本発明の動電型スピーカーは、スピーカー振動板を前面視した場合に、スピーカー振動板に固着されて、ダストキャップおよびボイスコイルを覆う第２ダストキャップをさらに備える。
【００１４】
以下、本発明の作用について説明する。
【００１５】
本発明の動電型スピーカーは、長径方向と短径方向とを有するトラック形のコイルならびにトラック形のボビンを含むボイスコイルと、このボイスコイルに係合するダストキャップと、ボビンがその中央に固着する細長形の振動板と、ボイスコイルのコイルが配置される磁気空隙を有する磁気回路と、を備える動電型スピーカーである。ダストキャップは、トラック形の円弧部であってボビンの一方の端部に係合する２つの係合平面部と、係合平面部の間において凹状に延設されてボビンが規定する内部空間に嵌入されて、トラック形の長径方向に沿った一組の長辺により規定されるボビンの２つの内壁平面を連結して補強する嵌入部と、を備える。
【００１６】
すなわち、本発明の動電型スピーカーでは、トラック形のボビンに係合するダストキャップが、長径方向に沿った長辺で強度が弱くなりがちなトラック形のボビンの内壁平面と連結して、ボイスコイルボビンを補強して分割共振を抑制し、歪音、および、異音の発生を少なくすることができる。好ましくは、本発明のダストキャップは、その嵌入部が、長径方向の断面において略Ｖ字状に連結する２つの補強平面から構成されて、嵌入部を構成する補強平面が、トラック形の長径方向に沿った一組の長辺のほぼ全ての範囲に渡って、ボビンの２つの内壁平面と連結する。したがって、ダストキャップの改良を施すことのみで、音響機器の取り付ける空間が狭くても、取り付けることが可能な再生音声品質に優れる細長形の動電型スピーカーが実現される。
【００１７】
また、本発明の動電型スピーカーでは、スピーカー振動板を前面視した場合に、スピーカー振動板に固着されて、ダストキャップおよびボイスコイルが露出しないように覆う第２ダストキャップをさらに備えてもよい。具体的には、本発明のダストキャップを、トラック形のボイスコイルのボビンを補強する補強材として用いる。つまり、スピーカー振動板に連結して露出する第２ダストキャップと、この第２ダストキャップによって背面側に覆われるトラック形のボイスコイルを備える細長形の動電型スピーカーに、本発明のダストキャップを加えると、ボイスコイルボビンを補強して分割共振を抑制し、歪音、および、異音の発生を少なくすることができ、再生音声品質に優れる動電型スピーカーを提供することができる。
【００１８】
本発明のダストキャップは、好ましくは、抄紙した紙材、もしくは、真空成型等で形成したＰＰ（ポリプロピレン）、ＰＥＩ（ポリエーテルイミド）、等の樹脂のフィルム材で形成すればよいので、軽量であり、スピーカー振動系の重量の増加を最小限にすることができる。したがって、磁気回路の磁気空隙中に位置するボイスコイル長を確保するようにトラック形のボイスコイルを用いる動電型スピーカーであっても、トラック形のボビンの分割振動が抑制され、能率並びに再生音圧レベルを高めて、再生音声品質と耐入力を高めることができる。
【発明の効果】
【００１９】
本発明のダストキャップを用いる動電型スピーカーは、長径方向と短径方向とを有するトラックのボビンならびにトラック形のコイルを含むボイスコイルと、ボビンがその中央に固着する細長形のスピーカー振動板とを備える動電型スピーカーであっても、再生音圧周波数特性のピーク・ディップを抑制することができ、能率が高くて再生音圧レベルも十分高く、再生音声品質に優れる動電型スピーカーを提供することができる。
【発明を実施するための最良の形態】
【００２０】
本発明のダストキャップは、上記本発明の目的を、トラック形の円弧部であってボビンの一方の端部に係合する２つの係合平面部と、係合平面部の間において凹状に延設されてボビンが規定する内部空間に嵌入されて、トラック形の長径方向に沿った一組の長辺により規定されるボビンの２つの内壁平面を連結して補強する嵌入部と、を備えるようにしたことにより、実現した。
【００２１】
以下、本発明の好ましい実施形態によるダストキャップ、および、これを用いた動電型スピーカーについて説明するが、本発明はこれらの実施形態には限定されない。
【実施例１】
【００２２】
図１および図２は、本発明の好ましい実施形態による動電型スピーカー１を説明する図である。図１（ａ）は、動電型スピーカー１を前面側斜め上方から見た斜視図であり、図１（ｂ）は、動電型スピーカー１を構成する磁気回路１０を前面側斜め上方から見た拡大斜視図である。また、図２（ａ）は、動電型スピーカー１の長径方向の断面図（Ａ−Ａ’断面）であり、図２（ｂ）は、説明のために後述する前面ダストキャップ５を除いた動電型スピーカー１の一部を拡大した拡大斜視図である。
【００２３】
本実施例の動電型スピーカー１は、長径方向長が約１５．０ｃｍ、短径方向長が約２．５ｃｍのトラック形のスピーカー振動板２を有する細長形の動電型スピーカーである。なお、後述するように、動電型スピーカー１の一部の構造や、内部構造等は、省略している。また、点Ａ−Ａ’を結ぶ直線が延びる方向が長径方向であり、また、点Ｂ−Ｂ’を結ぶ直線が延びる方向が短径方向である。なお、トラック形とは、長径方向に沿った一組の長辺と、一組の長辺を連結する一組の円弧と、から形成される形状であり、スピーカー振動板２の外周端部、および、エッジ３の内周端部は、一組の長辺と、一組の長辺を連結する一組の円弧と、を有している。
【００２４】
外形及び内形がトラック形を有するスピーカー振動板２は、全体を細長形のコーン状に抄紙した振動板であり、エッジ３によってその外周端部を支持されており、エッジ３の外周端部は、フレーム６に固定されている。また、スピーカー振動板２の内周端部には、ボビンならびにコイルから成るボイスコイル４が連結しており、その上端にはトラック形のボイスコイル４を補強する後述するダストキャップ２０が接着されている。したがって、ボイスコイル４のボビンならびにコイルも、トラック形である。また、ダストキャップ２０は、スピーカー振動板２に連結する前面ダストキャップ５に覆われて、動電型スピーカー１を前面視する場合には露出しない。なお、スピーカー振動板２は、ＰＳＰ、ＰＰ、紙、アルミ合金等をプレス成形、もしくは、射出成形、あるいは、基材に熱硬化性樹脂を含浸して成形するコーン振動板であっても良く、また、それぞれ薄板状にした平面材料を打ち抜いて形成した平面振動板であってもよい。
【００２５】
また、ボイスコイル４のボビンの外側面には、ダンパー９の内径端が接着剤で連結される。ダンパー９の外径端は、フレーム６のダンパー固定部に接着固定される。ダンパー９は、図１（ａ）に示すように、支持可動部のコルゲーションを周方向における短径方向から約±４５°の範囲で切除しており、長径方向の支持可動部のコルゲーションがいわば支持アームを構成し、その結果、切除された部分からボイスコイル４のボビンの外側面が露出している。ダンパー９は、柔軟性を有する繊維の織布を基材としてフェノール樹脂を含浸して成形するコルゲーションダンパーであればよく、また、他の材料で形成するものであってもよい。例えば、内周側リングと外周側リングを連結するアームを有し、金属または樹脂で形成する蝶ダンパーであってもよい。
【００２６】
また、フレーム６は、トラック形のスピーカー振動板２に対応した細長形状であり、フレーム６に固定される磁気回路１０も、短径方向長以下の幅が狭い細長形状を有している。具体的には、フレーム６の固定部は、長径方向に沿った一組の長辺と、一組の長辺を連結する短径方向に沿った一組の短辺と、から形成される略長方形であり、外形の長径方向長が約１７．０ｃｍ、短径方向長が約３．０である。フレーム６の背面側の窓からは、ボイスコイル４等の振動系を構成する部品が露出している。したがって、動電型スピーカー１は、ディスプレイ等の機器が有する表示部の側部など、スピーカーを取り付ける幅が少ない機器に適するスピーカーである。なお、フレーム６には、ターミナル７が取り付けられており、後述するように、ターミナル７にハンダづけされる錦糸線８は、ターミナル７とボイスコイル４のコイル４の引出線とを導通させて、コイルに音声電流を供給する。
【００２７】
磁気回路１０は、フレーム６に固定される細長形のトッププレート１１と、断面形状がトラック形の長円筒形状であってトッププレート１１の中央に形成されたトラック形孔に挿入されるセンターポール１２と、センターポール１２を中央に配置する細長形のアンダープレート１４と、トッププレート１１およびアンダープレート１４に狭持されるマグネット１５と、から構成される。トッププレート１１およびセンターポール１２は、均等な幅を有するトラック形磁気空隙１３を形成する。すなわち、磁気回路１０は、トラック形磁気空隙１３を有する外磁型磁気回路であり、磁気回路１０の長径方向及び短径方向は、トラック形のスピーカー振動板２の長径方向および短径方向と一致している。
【００２８】
ボイスコイル４は、断面形状がトラック形の長円筒形に形成したボビンと、その一端側に巻回されて音声電流が供給されるコイルと、から形成される。ボビンは、コイルが巻回されない他端側に近い外側の側面が、スピーカー振動板２の内周端に接着剤により連結される。ボイスコイル４は、ダンパー９と、スピーカー振動板２を介してエッジ３と、によって振動可能に支持されており、トラック形状のコイルは、磁気回路１０のトラック形磁気空隙１３に配置される。なお、コイルの長径方向長は約２２．０ｍｍ、短径方向長は約７．０ｍｍ、そして、トラック形の円弧の半径は約３．５ｍｍである。
【００２９】
したがって、スピーカー振動板２、エッジ３、ボイスコイル４、前面ダストキャップ５、ダストキャップ２０、および、ダンパー９からなるスピーカー振動系は、フレーム６に対して振動可能に支持される。動電型スピーカー１では、ボイスコイル４のコイルにターミナル7および錦糸線８を通じて音声電流が供給されると、磁気空隙１３に配置されたボイスコイル４に駆動力が作用し、ボイスコイル４は前後方向に振動し、連結されたスピーカー振動板２も前後方向に振動する。なお、動電型スピーカー１において前後とは、スピーカー振動板２が振動する場合に、ボイスコイル４、および、磁気回路１０が取り付けられる側を後側とし、スピーカー振動板２、および、前面ダストキャップ５が露出する側を前側としている。
【００３０】
ダストキャップ２０は、ボイスコイル４のボビンの上端側に接着される部材であり、ボイスコイル４の内側の空間を通じて動電型スピーカー１の内部に、つまり、ボイスコイル４のコイルが振動する磁気回路１０の磁気空隙１３に、鉄粉等のトラック形の異物が混入するのを防止する。本実施例におけるダストキャップ２０は、厚みが約０．３ｍｍの抄紙した紙材であり、他にも、ＰＳＰ、ＰＰ、アルミ合金等をプレス成形、もしくは、射出成形、あるいは、基材に熱硬化性樹脂を含浸して成形する部材であっても良い。また、ダストキャップ２０は、後述するように、弱くなりがちなトラック形のボイスコイル４を補強する部材であり、動電型スピーカー１のスピーカー振動系の分割共振を抑制し、歪音、および、異音の発生を少なくする。
【００３１】
ダストキャップ２０は、２つの係合平面部２１と、２つの補強平面２２と、を備えており、一枚の短冊が略Ｖ字状に折り曲げられたような形状を有している。すなわち、ダストキャップ２０では、２つの係合平面部２１の間において凹状に延設される嵌入部が、２つの補強平面２２によって、長径方向の断面において略Ｖ字状に構成されており、略Ｖ字状の部分がトラック形のボイスコイル４の内部空間に嵌入される。具体的には、抄紙した紙材であるダストキャップ２０は、立体的な略Ｖ字状を抄紙の段階で形成してもよく、また、平面状に抄紙した紙材を折り曲げて形成してもよい。
【００３２】
係合平面部２１は、長径方向と短径方向とを有するトラック形のボイスコイル４のボビンに係合するように、長径方向においてボイスコイル４のボビンのトラック形の円弧部の半径よりも長さが長く（約３．９ｍｍ）、短径方向においてボイスコイル４のボビンの短径方向の内寸とほぼ等しい幅（約６．９５ｍｍ）を有する。したがって、係合平面部２１は、ボイスコイル４のボビンのトラック形の円弧部をほぼ覆う面積を有していればよく、本実施例の係合平面部２１では、図２（ｂ）に示すように、矩形の角の一部を円弧で接続した平面として規定されている。
【００３３】
一方、補強平面２２は、図２（ｂ）に示すように、係合平面部２１から長径方向の中心Ｏの側に向かうにつれて磁気回路１０へ近づくように、斜め下方に延設された平面であって、２つの係合平面部２１からそれぞれ延設された２つの補強平面２２が、中心Ｏの軸上において交叉して連結し、長径方向の断面において略Ｖ字状の嵌入部を形成する。したがって、補強平面２２は、ボイスコイル４のボビンのトラック形の長径方向に沿った一組の長辺により規定されるボビンの２つの内壁平面を、つまり、トラック形の長辺にあたるボビンの内側の平面部分を、連結して補強する。ダストキャップ２０は、ボイスコイル４に接着剤で接着されるので、ボイスコイル４に連結する補強平面２２の短径方向の端面にも接着剤を塗布することにより、ボビンの２つの内壁平面を連結する。
【００３４】
本実施例のダストキャップ２０の場合には、長径方向の断面において、係合平面部２１と補強平面２２とが規定する折線状の稜線の位置が、ボイスコイル４のボビンのトラック形の長辺と円弧部との境界線の位置と、ほぼ一致する。すなわち、ダストキャップ２０の係合平面部２１は、ボイスコイル４のボビンのトラック形の円弧部に対応し、一方、ダストキャップ２０の補強平面２２は、ボイスコイル４のボビンのトラック形の長辺の部分に対応する。したがって、補強平面２２は、トラック形の長径方向に沿った一組の長辺のほぼ全ての範囲に渡って、ボビンの２つの内壁平面と連結しており、トラック形のボイスコイル４のボビンの強度を強化することができる。
【００３５】
本実施例の補強平面２２は、係合平面部２１から下側方向に約４５°の角度で斜めに延設されている。したがって、中心Ｏ付近では、２つの補強平面２２は、約９０°の角度で交叉しており、２つの補強平面２２が交叉する頂点の係合平面部２１からの深さは、本実施例の場合には約１８．５ｍｍである。略Ｖ字状の嵌入部の深さは、上記の角度と、ボイスコイル４のボビンのトラック形の形状寸法と、によって様々に変更可能であり、好ましくはダンパー９がボイスコイル４のボビンに接着されている程度まで深くなるのがよい。なお、２つの補強平面２２が交叉する頂点の位置が深くなる場合であっても、動電型スピーカー１のスピーカー振動系が振動しても、磁気回路１０のセンターポール１２の上端面に接触しないように、センターポール１２の上端面との距離を十分に設けておけばよい。
【００３６】
なお、本実施例の動電型スピーカー１は、磁気空隙１３の防塵と、ボイスコイル４の補強とを図るダストキャップ２０に加えて、音質調整用の前面ダストキャップ５を備えている。前面ダストキャップ５は、細長形のスピーカー振動板２に対応して、前面に凸状の浅いドーム状に抄紙した紙材で形成した細長形の部材であり、ダストキャップ２０とは離隔してスピーカー振動板２に接着剤で固着されて、ダストキャップ２０およびボイスコイル４を露出しないように覆う。前面ダストキャップ５をダストキャップ２０とは別に設けることで、コーン状のスピーカー振動板２における窪み効果による再生音圧周波数特性の乱れを少なくし、また、振動して再生音声の高音域の音色を調整することができる。したがって、本実施例の動電型スピーカー１は、ダストキャップ２０により防塵されているので、前面ダストキャップ５を備えない状態で使用してもよい。
【００３７】
図３は、比較例としての従来の動電型スピーカー３１および４１について説明する図であり、それぞれ長径方向の断面図である。比較例の動電型スピーカー３１および４１は、本実施例の動電型スピーカー１とほぼ同じ構成の細長形のスピーカーであり、それぞれ、上記のダストキャップ２０を備えず、また、前面ダストキャップ５に代わるダストキャップ３５、ないし、４５を備える点を除く他の構成は、本実施例の動電型スピーカー１と共通する。したがって、共通する部分については共通の番号を付して、説明を省略する。
【００３８】
比較例の動電型スピーカー３１は、図３（ａ）に示すように、トラック形のボイスコイル４のボビンの上端側に連結するダストキャップ３５を備えている。ダストキャップ３５は、細長形で前面に凸状の浅いドーム状であって、ダストキャップ２０が備えるような略Ｖ字状の嵌入部を有していない。したがって、トラック形のボイスコイル４のボビンの２つの内壁平面を補強する構造が存在せず、本実施例の場合に比べて、ボイスコイル４のボビンが分割共振を起こしやすい。
【００３９】
また、もう一方の比較例の動電型スピーカー４１は、図３（ｂ）に示すように、トラック形のボイスコイル４のボビンの上端側に連結するダストキャップを備えず、その代わりに、スピーカー振動板２に連結するダストキャップ４５を備えている。ダストキャップ４５は、スピーカー振動板２に連結しているので、トラック形のボイスコイル４のボビンの２つの内壁平面を補強する構造を備えない。したがって、本実施例の場合に比べて、トラック形のボイスコイル４のボビンが分割共振を起こしやすい。
【００４０】
図４は、本実施例のダストキャップ２０を含むスピーカー振動系を備える動電型スピーカー１の軸上１ｍ音圧周波数特性、２次及び３次高調波歪特性、ならびに、電気インピーダンス特性、を表すグラフである。本実施例の動電型スピーカー１は、上記のダストキャップ２０を備えるので、トラック形のボイスコイル４と細長形のスピーカー振動板２との組み合わせで発生しやすい約１．５ｋＨｚ付近と約８ｋＨｚ付近での分割振動を抑制して、滑らかな音圧周波数特性と、低い高調波歪率（特に３次歪）を実現することができる。加えて、本実施例の動電型スピーカー１では、上記周波数特性を実現する音質調整用の前面ダストキャップ５を使用しているので、約８ｋＨｚ以上の高音域でも高い再生音圧レベルを実現している。すなわち、後述する比較例と比較して分かるように、細長形状のスピーカーでありながら、能率が高く再生音声品質に優れる動電型スピーカーが実現されている。
【００４１】
図５は、比較例のダストキャップ３５を備える動電型スピーカー３１の軸上１ｍ音圧周波数特性、２次及び３次高調波歪特性、ならびに、電気インピーダンス特性、を表すグラフである。この動電型スピーカー３１は、上記のダストキャップ２０を備えていないので、トラック形のボイスコイル４と細長形のスピーカー振動板２との組み合わせで発生しやすい分割振動が顕著に発生し、約１．５ｋＨｚ付近と約８ｋＨｚ付近において、音圧周波数特性のピーク・ディップと、著しく高くなる高調波歪率（特に３次歪）が見受けられる。また、約８ｋＨｚ以上の高音域の再生音圧レベルが低くなり、本実施例の動電型スピーカー１に比較すると、再生音声品質に劣る動電型スピーカーになる。
【００４２】
図６は、比較例のダストキャップ４５を備える動電型スピーカー４１の軸上１ｍ音圧周波数特性、２次及び３次高調波歪特性、ならびに、電気インピーダンス特性、を表すグラフである。この動電型スピーカー４１も、上記のダストキャップ２０を備えていないので、トラック形のボイスコイル４と細長形のスピーカー振動板２との組み合わせで発生しやすい分割振動が顕著に発生し、約１．５ｋＨｚ付近において、著しく高くなる高調波歪率（特に３次歪）が見受けられる。ダストキャップ４５を備えることによって、約８ｋＨｚ以上の高音域の再生音圧レベルが上昇しているものの、本実施例の動電型スピーカー１に比較すると、再生音声品質に劣る動電型スピーカーになる。
【００４３】
したがって、本実施例の動電型スピーカー１は、ダストキャップ２０の形状を、上記のようにすることにより、トラック形状のスピーカー振動板２の中央にトラック形状のボイスコイル４のボビンを固着するものであっても、トラック形状のボイスコイル４のボビンの強度を増して分割振動を抑制し、平坦な再生音圧周波数特性と、低い高調波歪率を得ることができる。すなわち、ダストキャップ２０が、２つの係合平面部と、係合平面部の間において凹状に延設されてボビンが規定する内部空間に嵌入されて、トラック形の長径方向に沿った一組の長辺により規定されるボビンの２つの内壁平面を連結して補強する嵌入部と、を備えるようにしたので、磁気回路１０の磁気空隙中１３に位置するボイスコイル４のコイル長をトラック形状のものを採用して確保するようにしても、ボイスコイル４の分割振動を抑制することができる。また、細長形の動電型スピーカーで低下しがちな能率並びに再生音圧レベルを高めると、その結果、過大な音声信号電力を入力する必要が無くなって定格入力も増大することになるので、再生音声に優れて、耐入力と品質とを高めた動電型スピーカーを実現することができる。
【００４４】
なお、本発明の動電型スピーカーを構成するダストキャップ２０は、上記実施例の場合の形状に限定されず、例えば、２つの係合平面部２１を同一平面において連結する連結部２３（図示しない）を設け、これがトラック形のボイスコイル４のボビンの上端面（すなわち、トラック形の長辺の部分）に係合するものであってもよい。ボイスコイル４の強度がさらに増して、分割振動の発生を抑制することができる。また、本実施例の前面ダストキャップ５は、ダストキャップ２０とは離隔しているが、前面ダストキャップ５がスピーカー振動板２に固着されて、ダストキャップ２０が前面に露出しないように覆うものであれば、前面ダストキャップ５とダストキャップ２０とが、接着剤で接着されていてもよい。
【産業上の利用可能性】
【００４５】
本発明の動電型スピーカーは、トラック形状のスピーカー振動板、並びに、トラック形状のボイスコイルを用いたスピーカーに限られず、音波を放射する細長形状の振動板と、この細長形状の振動板に駆動力を伝達する駆動部材が細長形状の組み合わせになる他の振動系を備える他の電機−機械−音響変換器にも適用が可能である。
【図面の簡単な説明】
【００４６】
【図１】本発明の好ましい実施形態による動電型スピーカー１について説明する図である。（実施例１）
【図２】本発明の好ましい実施形態による動電型スピーカー１について説明する図である。（実施例１）
【図３】比較例の動電型スピーカー３１および４１について説明する図である。
【図４】本発明の好ましい実施形態による動電型スピーカー１の軸上１ｍ音圧周波数特性、等を表すグラフである。（実施例１）
【図５】比較例の動電型スピーカー３１の軸上１ｍ音圧周波数特性、等を表すグラフである。
【図６】比較例の動電型スピーカー４１の軸上１ｍ音圧周波数特性、等を表すグラフである。
【符号の説明】
【００４７】
１、３１、４１    動電型スピーカー
２        スピーカー振動板
３        エッジ
４        ボイスコイル
５        前面ダストキャップ
６        フレーム
７        ターミナル
８        錦糸線
９        ダンパー
１０      磁気回路
１１      トッププレート
１２      センターポール
１３      磁気空隙
１４      アンダープレート
１５      マグネット
２０      ダストキャップ
２１      係合平面部
２２      補強平面
３５、４５      ダストキャップ
【図１】
2009267875.tif 000003
【図２】
2009267875.tif 000004
【図３】
2009267875.tif 000005
【図４】
2009267875.tif 000006
【図５】
2009267875.tif 000007
【図６】
2009267875.tif 000008